(57)【要約】【課題】屋根縁部の直線部のみでなく、隅部に使用する為に平面視円弧状に容易に加工できる構造を備えたベース部材を備え、内部への雨水の浸入を防止できる、防水層端部取付け材を提供する。【解決手段】ベース部材２は、下側水平部３と、これに直角に立上る立上り部５と、上側水平部７とで構成する。ジョイントブラケット１５は、その前側垂下部１９のフック２７とベース部材の垂下部６との掛け止め、後側垂下部２１のフック３３の上側水平部７後端部への掛け止めによりベース部材に取付ける。カバー体３５は、第１垂下部下端部の折り曲げ部４３のジョイントブラケットの前側垂下部下端部への掛け止め、第２垂下部４１下端のフック４７の後側垂下部下端部への掛け止めによりジョイントブラケットへ取付ける。ジョイントブラケットの突起２３、２９ａ、ｂ、カバー体の突起４５、４９で各部材は互いに当接する。【選択図】  図１
2007162331.tif 000002
【特許請求の範囲】
【請求項１】
建物躯体屋根部に配置される防水層の端部を取付ける防水層端部取付け材において、前記防水層端部取付け材は、ベース部材とジョイントブラケットとカバー部材とからなり、前記ベース部材は、下側水平部と、これに直角に立上る立上り部と、下方へ伸びる垂下部と、上側水平部とで構成され、前記ジョイントブラケットは、その前側垂下部のフックと前記ベース部材の垂下部との掛け止め、後側垂下部のフックの前記ベース部材の上側水平部後端部への掛け止めによりベース部材に取付けられ、前記カバー体は、第１垂下部下端部の折り曲げ部の前記ジョイントブラケットの前側垂下部下端部への掛け止め、第２垂下部下端のフックの前記ジョイントブラケットの後側垂下部下端部への掛け止めにより前記ジョイントブラケットへ取付けられ、前記ベース部材とジョイントブラケットとカバー体の少なくとも１つに隣合う部材に向って突出する突起を備え、前記ベース部材とジョイントブラケットとカバー体とを組立てたときに前記突起を介して前記ベース部材とジョイントブラケットとカバー体とが互いに当接することを特徴とする、防水層端部取付け材。
【請求項２】
建物躯体屋根部に配置される防水層の端部を取付ける防水層端部取付け材において、略水平方向に延びる下側水平部と、該下側水平部の前端部から略直角方向上方へ延びる立上り部と、該立上り部の上端から前記下側水平部と同じ方向へ延びる上側水平部とを備えたベース部材と、該ベース部材の前記上側水平部の上側に位置して前記上側水平部と同じ方向に延びるジョイント水平部と、該ジョイント水平部の前端部から下方へ、前記ベース部材の前記立上り部に沿って伸びる前側垂下部と、前記ジョイント水平部の後端部から前記ベース部材の前記上側水平部の後端部を越えて下方へ垂下する後側垂下部とを備え、前記ベース部材に掛け止めされるジョイントブラケットと、前記ジョイントブラケットの前記ジョイント水平部の上側に位置して同じ方向に延びるカバー水平部と、該カバー水平部の前端部と後端部からそれぞれ前記ジョイントブラケットの前記前側垂下部と前記後側垂下部に沿って下方へ垂下する第1垂下部と第2垂下部とを備え、前記ジョイントブラケットに掛け止めされるカバー体とを備え、前記ベース部材とジョイントブラケットとカバー体の少なくとも1つに隣り合う部材に向って突出する突起を備え、前記ベース部材とジョイントブラケットとカバー体とを組立てたときに前記突起を介して前記ベース部材とジョイントブラケット及び前記ジョイントブラケットと前記カバー体とが互いに当接することを特徴とする、防水層端部取付け材。
【請求項３】
請求項１又は２記載の防水層端部取付け材において、前記突起が、前記ジョイントブラケットの前記前側垂直部の内面上と前記水平部の内面上に形成され、前記ベース部材に当接するようになっていることを特徴とする、防水層端部取付け材。
【請求項４】
請求項１乃至３のいずれか１に記載の防止層端部取付け材において、前記突起が、前記カバー体の前記第１及び第２垂下部の内面上に形成され、前記ジョイントブラケットに当接するようになっていることを特徴とする、防水層端部取付け材。
【請求項５】
請求項１乃至４のいずれか１に記載の防水層端部取付け材において、前記ベース部材とジョイントブラケットとカバー体とはビスにより固定されていることを特徴とする、防水層端部取付け材。
【発明の詳細な説明】
【技術分野】
【０００１】
本願発明は、建物躯体屋根部に配置される防水層の端部を取付けて固定するための防水層端部取付け材に関する。
【背景技術】
【０００２】
建物躯体屋根部に各種防水シートからなる防水層を配置する場合に、防止層端部取付け材が使用される場合がある。すなわち、この防水層端部取付け材は屋根部の縁部に沿って取り付けられ、この取付け材に防水層の端部が取付けられて固定される。このような取付け材の構造が例えば特公平５−８８３３６号に開示されている。
【０００３】
特公平５−８８３３６号に開示された構造において取付け材は、絶縁防水材を陸屋根に固定し且つ仕上防水材を支受する基板部材と、該基板部材上に固定される受け板部材と、該受け板部材に支持され且つ基板部材の上面に施された仕上げ防水材の前端から上面に亘り被覆する被覆枠上部材との組合わせで構成されている。そしてその基板部材は、絶縁防水材の端部を固定する水平板部と、その水平板部の一端から斜めに立ち上がる斜面を備えた立上り板部を供え、仕上げ用防水材の端部側は基板部材と受け板部材との間を通って立上り部材の斜面上に貼付される。
【０００４】
ところで、雨仕舞いをするために取付けられるこの防水層端部取付け材は屋根部の隅部にも取付けられ、外観の統一を図るために屋根の直線部と隅部には同じ外観の取付け材が使用されるのが通常である。そして通常このような取付け材に使用される部材は、材料にアルミを使用して押出し加工によって所定の断面形状を備えた長尺材に形成され、それを適宜な長さに切断し、又例えば隅部に使用する場合などは必要に応じて平面視で円弧状に曲げ加工を施す。
【０００５】
【特許文献１】特公平５−８８３３６号公報
【発明の開示】
【発明が解決しようとする課題】
【０００６】
しかし、特公平５−８８３３６号に開示された取付け材で使用される基板部材は前述のように斜面となった立上り部を備えている。このように斜面部を備えた素材を円弧状に曲げる加工は困難であり、かなりの手間と時間を要する。また、上記のように斜面となった立上り部を備えた基板部材を使用した場合、雨混じりの強風が吹いたときには雨水が基板部材と受け板部材との間からその斜面上を伝って取付け材の内部に入り込む可能性がある。本来上記構成では被覆枠状部材で被覆し、内部には雨水などを入り込まないことを意図しており、このように取付け材内部に雨水が入り込むことは雨仕舞いの点で好ましいことではない。
【課題を解決するための手段】
【０００７】
本願発明は上記従来例の問題点に鑑みなされたものであり、部材の加工が容易である構造を備えた、防水層端部の取付け材を提供することをその課題とする。
また、本願発明は取付け材内部に雨水が入り込むのを防止して、雨仕舞いを良好にする構造を備えた取付け材を提供することをもその課題とする。
【０００８】
そして上記課題を解決するために本願発明に係る防水層端部取付け材においては、その防水層端部取付け材は、ベース部材とジョイントブラケットとカバー部材とからなり、ベース部材は、下側水平部と、これに直角に立上る立上り部と、下方へ伸びる垂下部と、上側水平部とで構成され、ジョイントブラケットは、その前側垂下部のフックと前記ベース部材の垂下部との掛け止め、後側垂下部のフックの前記ベース部材の上側水平部後端部への掛け止めによりベース部材に取付けられ、カバー体は、第１垂下部下端部の折り曲げ部のジョイントブラケットの前側垂下部下端部への掛け止め、第２垂下部下端のフックのジョイントブラケットの後側垂下部下端部への掛け止めにより前記ジョイントブラケットへ取付けられ、ベース部材とジョイントブラケットとカバー体の少なくとも１つに隣合う部材に向って突出する突起を備え、ベース部材とジョイントブラケットとカバー体とを組立てたときにこの突起を介してベース部材とジョイントブラケットとカバー体とが互いに当接することとなっている。
本願発明はさらに以下の構成の防水層端部取付け材を提供する。すなわちその防水層端部取付け材はベース部材とジョイントブラケットとカバー体とで構成し、ベース部材は略水平方向に延びる下側水平部と、該下側水平部の前端部から略直角方向上方へ延びる立上り部と、該立上り部の上端から下側水平部と同じ方向へ延びる上側水平部とを備えている。ジョイントブラケットはベース部材に掛け止めされ、ベース部材の上側水平部の上側に位置してそれと同じ方向に延びるジョイント水平部と、該ジョイント水平部の前端部から下方へ、ベース部材の立上り部に沿って伸びる前側垂下部と、ジョイント水平部の後端部からベース部材の上側水平部の後端部を越えて下方へ垂下する後側垂下部とを備えている。そしてカバー体はジョイントブラケットに掛け止めされ、ジョイントブラケットのジョイント水平部の上側に位置して同じ方向に延びるカバー水平部と、該カバー水平部の前端部と後端部からそれぞれジョイントブラケットの前側垂下部と後側垂下部に沿って下方へ垂下する第1垂下部と第2垂下部とを備え、ジョイントブラケットに掛け止めされる。そしてさらに、ベース部材とジョイントブラケットとカバー体の少なくとも1つに、隣り合う部材に向って突出する突起を備えており、ベース部材とジョイントブラケットとカバー体とを組立てたときにこの突起を介してベース部材とジョイントブラケット及びジョイントブラケットとカバー体とが互いに当接する構造となっている。
ある実施の形態では、前述の突起が、ジョイントブラケットの前側垂直部の内面上と水平部の内面上に形成されてベース部材に当接するようになっている。
さらに他の実施の形態では、突起がカバー体の第１及び第２垂下部の内面上に形成され、ジョイントブラケットに当接するようになっている。
さらに他の実施の形態では、ベース部材とジョイントブラケットとカバー体とはさらにビスにより固定されている。
【発明の効果】
【０００９】
本願発明によれば、ベース部材の立上り部を略直角に形成されているので、屋根の隅部に使用する平面視円弧状のベース部材を加工するのが容易である。
また、ベース部材の立上り部に沿って防水層端部を直角に立ち上げて取付けることが出来るので、風によって雨水が内部に入り込むことがなく、雨仕舞いに優れる。
また、組立てが各部材をその弾性を使用して適宜撓めて掛け止めするだけで行なえるので、きわめて作業性に優れている。また、突起を用いて各部材が当接するようになっているので、組立て後は、風などによるがたつきが防止できる。
また、突起をジョイントブラケットの前側垂直部の内面上と水平部の内面上に形成してベース部材に当接するようにすると、ベース部材とジョイントブラケットとの間のがたつきが防止できる。
また、突起をカバー体の第１及び第２垂下部の内面上に形成してジョイントブラケットに当接するようにすると、ジョイントブラケットとカバー体との間のがたつきが防止できる。
ベース部材とジョイントブラケットとカバー体とをさらにビスにより固定すると、組み立てがより強固になり、がたつきもより確実に防止される。
【発明を実施するための最良の形態】
【００１０】
以下図面を参照して本発明の実施の形態について説明するが、以下の実施の形態は例示的に示すものであり、本願発明の範囲がそれに限定されるものではない。
【００１１】
図１は本願発明の実施の形態に係る、屋根の直線部に使用する防水層端部取付け材（以下「取付け材」という）の縦断面図であり、図2乃至４はそれぞれ取付け材を構成するベ−ス部材、ジョイントブラケット、カバー体の縦断面図である。
【００１２】
取付け材1は図1に示されるようにベース部材２、ジョイントブラケット１５、カバー体３５とを主要構成部材として構成されているが、図２をも参照して先ずベース部材２について説明する。ベース部材２は、図において左右に水平に延びる下側水平部３を備えている。下側水平部３の図において左側となる前端部（以後、「前」、「後」、あるいは「上」、「下」等の語は説明の都合上使用するものであり、本願発明を何ら限定する趣旨のものではない。）からは、略直角に上に伸びる立上り部５が形成され、立上り部５の上端部から下側水平部と同じ方向へ、すなわち後方へ向って上側水平部７が延びている。上側水平部７は下側水平部より短くなっている。また、立上り部５は僅かに下側に向っても延びて、垂下部６を形成しており、その下端部は外側から下端に向って円弧状に形成されている。
【００１３】
ベ−ス部材２の下側水平部３には前後方向に適宜な距離を隔てて二つのビス通し孔９、９が形成されている。なおこのビス通し孔９、９は、図面の紙面に向って垂直方向で適宜な距離をおいて複数箇所に形成されている。そしてベース部材２は、図1に示されるようにその下側水平部３が建物躯体屋根部H上に載置され、図1に破線で示すように屋根部Ｈに埋め込まれたアンカープラグ１１とそれにねじ込まれた木ねじ１３を使用して固定される。その際、下側水平部３の前側は僅かに屋根部Ｈの縁部ｈを越えて配置され、垂下部６は屋根部の上面より下方へ伸びている。なお、1個のベース部材２は図面の紙面に垂直方向で数メートル、例えば3メートルの長さに形成され、それを複数個連続して配置する。
【００１４】
ジョイントブラケット１５は図３にも示されるように概略数字「７」を左右逆に裏返した形をしており、組立てたときにベース部材２の上側水平部７の上側に位置するジョイント水平部１７と、その両端から下方へ垂下する前側垂下部１９と後側垂下部２１とを備えている。水平部１７の前側端部は上側へ盛上がった盛上がり部１７ａとなっており、その下面側から略円形の切欠き２５が形成されている。また、水平部１７の下面側には前後方向中央より若干前よりの位置に下向きの突起２３が形成されている。
【００１５】
前側垂下部１９は、上から順に、真直ぐに垂下する第1真直部１９ａ、下向き後方へ斜めに傾いた第1傾斜部１９ｂ、真直ぐに垂下する第2真直部１９ｃ、下向き前側へと傾斜する第2傾斜部１９ｄとなっている。第2垂下部１９ｃと第2傾斜部１９ｄとが繋がる位置には、その内面側から後方へ延びるフック２７が形成され、また、第2真直部１９ｃの内面側には上下に隔てて2個の断面略半円状の突起２９ａ、２９ｂが形成されている。さらに第2傾斜部１９ｄの下端近くの内面側に略円形の切欠き３１が形成されている。一方後側垂下部２１は前側垂下部１９に比して長さはずっと短く、上下方向略中央に内面側から前方へ延びるフック３３が形成されている。なお、1個のジョイントブラケット１５の図の紙面に垂直方向の長さはベース部材２のそれに比してずっと短く、例えば３０ｃｍであり、ベース部材2上に適宜な間隔で、また隣合うベース部材2が繋がる部分に配置されるようになっている。
【００１６】
図４を参照すると、カバー体３５も数字「７」を左右逆に裏返したような形をしており、前後に延びるカバー水平部３７とその両端から下方へ垂下する第1及び第2垂下部３９、４１とを備えている。カバー水平部３７は肩部３７ｃを介して繋がった前側水平部３７ａと後側水平部３７ｂとからなり、第１水平部は組立てたときにジョイントブラケット１５の盛上がり部１７ａと干渉しないようになっている。
【００１７】
自由状態においては第１垂下部３９は下向き後方へ若干の僅かに傾いて延びており、その下端には後側へ突出する短い折り曲げ部４３が形成され、上端近くには内面側に断面半円状の突起４５が形成されている。第２垂下部４１は第１垂下部３９に比してその長さはずっと短く、その下端には内面から前方へ向うフック４７が、その少し上には小さい突起４９が形成されている。１個のカバー体３５の図面紙面に垂直方向の長さは略ベース部材の長さに等しくなっている。
【００１８】
上記のベース部材２、ジョイントブラケット１５、カバー体３５は図１に示されるように組立てられる。すなわち、木ねじ１３で固定されたベース部材７に対して、適宜な間隔でジョイントブラケット１５が、ジョイントブラケット１５のフック２７と３３とがそれぞれベース部材２の垂下部６の先端と上側水平部７の後端に図示のように掛け止めされる。その際、ジョイントブラケット１５の弾性を利用してこれを撓めてベース部材２に掛け止め、弾性による復元力を利用してその掛け止めが外れないようにしている。
【００１９】
次いでジョイントブラケット１５の前側垂下部１９の先端と後側垂下部２１の先端にそれぞれ折り曲げ部４３とフック４７とを係止することにより、カバー体３５がジョイントブラケット１５に掛け止めされる。この際にもカバー体３５の弾性を利用してこれを撓めてジョイントブラケット１５に掛け止め、弾性による復元力を利用してその掛け止めが外れないようにしている。このように各部材の弾性を利用して各部材の係止部を互いに掛け止めするだけで組立てを行なえるので、組立て作業性に優れている。また、組立てた状態においては、ジョイントブラケット１５の突起２３と２９ａ、ｂがベース部材２に当接し、カバー体３５の突起４５、４９がジョイントブラケット１５に当接するようになっているので、組立てた部材の間にがたつきが生じない。
【００２０】
この組立てが行なわれた後に防水層５１が適宜接着剤等を使用して屋根上に敷かれ、その端部はベース部材２の立上り部５に沿って略直角に立ち上げられ、その上端とベース部材２の上側水平部７との間にコーキング５３が施される。このように防水層５１の端部が先の従来例とは異なって略垂直に立上り、斜面とはならないので、雨水が取付け材１内に入り込む可能性はきわめて少なく、雨仕舞いが良い。また、ジョイントブラケット１５をベース部材に取付ける際に、カバー部材上で適宜間隔に取付けると共に、隣合うカバー体３５の繋ぎ目従ってベース部材２の繋ぎ目に当たる位置に配置することにより、仮にカバー部材３５の繋ぎ目から雨水が入り込んでもその雨水はジョイントブラケット１５により受け止められて排出され、ベース部材２の繋ぎ目を通ってコーキング５３などへ流れ込むことがない。
【００２１】
図５は屋根部の隅部すなわちR部に使用される防水層端部取付け材６１を示す断面図であるが、基本的構造は前述の直線部に使用する防水層取付け材１と同じであるので、それと異なる部分のみ説明する。
【００２２】
ベース部材６２はベース本体６３と、その下に取付けられる敷板６７とで構成されている。ベース本体６３が前述のベース部材２と異なる点は、下側水平部６４が先のベース部材２の下側水平部３より短く、また立上り部６５に対して敷板６７の厚さ分だけ上側の位置に設けられ、その分垂下部６６が長くなっている。従って上側水平部６３ａの高さ位置は直線部に配置されたベース部材２の上側水平部７と同じであり、直線部に配置のベース部材との繋ぎ目にジョイントブラケットを、さらにはカバー体を取り付けるのに何ら支障はない。敷板６７は細長い板状をしており、長さが下側水平部６４より長く、円弧状に曲げられたベース本体６３に対してその前端がベース本体６３の垂下部６６の内面に突き当てられた状態で、複数本適宜な間隔で放射状に配置され、ロー付けによりベース本体６３に固着されている。この敷板６７の部分において屋根部Hに固定される。
【００２３】
ジョイントブラケット１５は先の直線部に使用したものと同じである。カバー体７１は、前述のカバー体３５をカバー水平部３７の肩部３７ｃの上端の位置で二つに分割した二つの部材、カバー本体７２と後部部材７３とを図示のようにロー付けして構成している。カバー体７１の断面形状は前述のカバー体３５の形状と略同じであるが、第２垂下部４１に形成されていたフック４７と突起４９に対応するものは設けてない。なお、この例では図示のように、各部材を互いに掛け止めすると共に、止水ワッシャー７６付きのビス７５を用いて、カバー体７１とジョイントブラケット１５とベース部材６２とを結合している。これにより三つの部材はより強固に結合され、がたつきもより確実に防止される。
【図面の簡単な説明】
【００２４】
【図１】本発明に係る防水層端部取付け材の、屋根縁部の直線部に使用する実施の形態を示す縦断面図である。
【図２】ベース部材の縦断面図である。
【図３】ジョイントブラケットの縦断面図である。
【図４】カバー体の縦断面図である。
【図５】屋根隅部に使用する防水層端部取り付け材の実施の形態を示す縦断面図である。
【符号の説明】
【００２５】
１：防水層端部取付け材    ２：ベース部材    ３：下側水平部    ５：立上り部    ６：垂下部    ７：上側水平部    １５:ジョイントブラケット    １７：水平部  １９：前側垂下部    ２１：後側垂下部    ２３：突起    ２７：フック  ２９ａ，ｂ：突起    ３３：フック    ３５：カバー体    ３７：カバー水平部    ３９：第１垂下部    ４１：第２垂下部    ４３：折り曲げ部    ４５：突起
【図１】
2007162331.tif 000003
【図２】
2007162331.tif 000004
【図３】
2007162331.tif 000005
【図４】
2007162331.tif 000006
【図５】
2007162331.tif 000007